(57)【要約】【課題】デジタル無線通信システム１０における受信側デジタル無線機１２が、受信フレームのＢＣＨ符号のＮＩＤ（Network Identifier）の情報を抽出する処理を短縮する。【解決手段】ＮＩＤは、ＮＡＣ（Network Access Code）とＵｎｉｔＩＤ（Data Unit lD）の情報を含み、各受信期間では、ＮＡＣは不変であり、ＵｎｉｔＩＤは最大４つ存在する。最初のフレームでは、ＮＩＤを、その検査ビットに基づきエラー訂正してから、復号して、ＮＡＣを抽出するとともに（Ｓ２１否→Ｓ２２→Ｓ２５）、抽出ＮＡＣと受信可能性のあるＵｎｉｔＩＤとの組合せに基づきリファレンスデータを生成する（Ｓ２６）。２回目以降の受信フレームのＮＩＤについては、各リファレンスデータに対する抽出ＮＩＤのビット列のエラービット数の最小のものを特定し、該最小のものに対応付けられているＵｎｉｔＩＤ情報を受信フレームのＵｎｉｔＩＤ情報とする。【選択図】図３
2008311785.tif 000002
【特許請求の範囲】
【請求項１】
受信フレームにおける所定の検査符号付き符号領域についてその符号系列を抽出する符号系列抽出手段、
抽出符号系列を所定の複数の符号パターンと対比する対比手段、
対比結果に基づき複数の符号パターンの内で前記抽出符号系列に最も類似するものを特定する特定手段、及び
最類似の符号パターンにあらかじめ対応付けている情報に基づき前記受信フレームの他の符号領域についてそのデータ処理を行うデータ処理手段、
を備えることを特徴とするデジタル無線機。
【請求項２】
前記所定の検査符号付き符号領域に係る情報は、各受信期間において、変化しない第１の情報部分と、適宜変化する第２の情報部分とを含み、
各受信期間の最初の受信フレームにおける所定の検査符号付き符号領域についてその符号系列を訂正、復号して、第１の情報部分を抽出し、該第１の情報部分と受信可能性のある複数の第２の情報部分との組合せに基づき前記所定の複数の符号パターンを生成する符号パターン生成手段、
を備えることを特徴とする請求項１記載のデジタル無線機。
【請求項３】
各受信期間における２回目以降の受信フレームから、前記対比手段、前記特定手段及び前記データ処理手段の作動を有効にする作動制御手段、
を備えることを特徴とする請求項２記載のデジタル無線機。
【請求項４】
前記抽出符号系列と前記最類似の符号パターンとの不一致ビット数が所定値以上である場合は、自機宛てでないフレームとして識別して、その識別に対応する処理を行うフレーム識別手段、
を備えることを特徴とする請求項１〜３のいずれかに記載のデジタル無線機。
【請求項５】
受信フレームにおける所定の検査符号付き符号領域についてその符号系列を抽出するステップ、
抽出符号系列を所定の複数の符号パターンと対比するステップ、
対比結果に基づき複数の符号パターンの内で前記抽出符号系列に最も類似するものを特定するステップ、及び
最類似の符号パターンにあらかじめ対応付けている情報に基づき前記受信フレームの他の符号領域についてそのデータ処理を行うステップ、
を備えることを特徴とするデジタル無線機制御方法。
【請求項６】
請求項１〜４のいずれかに記載のデジタル無線機の各手段としてコンピュータを機能させるプログラム。
【発明の詳細な説明】
【技術分野】
【０００１】
本発明は、受信データの処理速度を改善するデジタル無線機、制御方法及びプログラムに関するものである。
【背景技術】
【０００２】
一般的なデジタル無線機のCommon Air Interface（以下、「ＣＡＩ」という。）のフレームデータには、無線ネットワーク間の干渉を防ぐために用いられるネットワーク識別コード領域が含まれている。受信側無線機は、この識別コード領域のコードを判定することにより、参加すべきネットワークを識別したり、受信すべきフレームであるか否かを判断したりすることができる。
【０００３】
例えば、Associated Public Safety Communication Officers, Inc. Project 25（以下、「Ｐ２５」という。）では、後述の図２で詳説するように、１つのフレームデータの中に必ず１つのNetwork Identifier（以下、「ＮＩＤ」という。）と呼ばれる計６４ビットの識別コードが含まれており、このＮＩＤはネットワークの識別コードＮＡＣ（Network Access Code）及び受信しようとしているフレームデータの情報Data Unit lD（以下、「ＵｎｉｔＩＤ」という。）から構成されている。フレームデータ領域のデータを正確に処理するためには、ＮＩＤを十分、正確に把握する必要があるので、特にＮＩＤは高いエラー訂正能力をもったブロック符号（ＢＣＨ符号（６３，１６，２３））で符号化されている。
【０００４】
従来の受信側無線機では、相手方の無線機からの電波を受信すると、該電波に含まれるフレーム先頭の同期ワードに同期して、ＮＩＤのビット列を抽出し、さらに、それを復号してから、ＮＡＣ及びＵｎｉｔＩＤの情報を把握する。そして、該フレームのＣＡＩフレームデータはＵｎｉｔＩＤ情報に基づきそれに対応する処理を行うようになっている。
【０００５】
一方、特許文献１は、デジタル無線機における伝送フレームの拡張同期ワードについて開示する（特許文献１の特許請求の範囲及び段落００３１）。該拡張同期ワードの具体例は、２０ビットの同期ワードとそれに後続する２ビットの無線チャネル識別情報とを結合した計２２ビットから成っている（特許文献１の段落００３１及び図２）。
【０００６】
特許文献１は、また、デジタル無線機における同期ワードのコードパターンが、制御チャネル、物理通信チャネル及び直接通信チャネル等の無線チャネルの種類に関係なく、同一であること、及び無線チャネル識別情報に係るコードパターンが無線チャネルの種類に対応して予め定められていることを開示する（特許文献１の段落００４２）。
【特許文献１】特開２００６−１７４１４２号公報
【発明の開示】
【発明が解決しようとする課題】
【０００７】
従来のデジタル無線機では、受信期間中、フレームを受信するごとに、ＮＩＤのデータを、符号化理論に従って復号化（デコード）処理している。この場合、ＮＩＤに含まれるビットエラー数が増えるに連れて、エラー訂正の処理時間が長大化し（後述の図４において詳説）、ＮＩＤ情報の把握が遅延する。ＮＩＤ情報は、フレームにおいてＣＡＩデータ領域のデータ処理に用いられたり、自機が受信すべきフレームであるか否かの判断の基にされたりするので、ＮＩＤ情報の把握の遅延は、後続処理についてそれを開始できない不定時間を増大させることになる。
【０００８】
対策としては、例えば、ＮＩＤ情報について、それが確定するのに先立ち、受信可能性の最も高いと予測したＮＩＤ情報に基づきＣＡＩデータの処理を開始することが考えられる。しかし、予測が外れた場合には、該処理が無駄になるとともに、確定したＮＩＤ情報に基づき処理をやり直すことになり、処理終了時刻を早めることに結び付けることができない。
【０００９】
ＮＩＤ情報の確定前に、受信可能性のある全部のＮＩＤ情報についてそれに基づくＣＡＩデータの処理を開始し、ＮＩＤ情報の確定しだい、確定ＮＩＤ情報に基づく処理のみ残して、他の処理を破棄することは、全体の処理を膨大化、複雑化し、結果、処理負荷が膨大になってしまう。さらに、エラービット数増大に因る処理時間の延長は、受信機だけの問題に留まらず、デジタル無線システム全体の処理時間のバランスを崩し、システムの不安定性の原因になる。
【００１０】
特許文献１は、デジタル無線機における受信フレームの同期処理の改善に言及するのみであり、同期処理後に行うフレーム内の検査ビット付きビット列の処理を迅速化する技術事項については言及していない。すなわち、特許文献１のデジタル無線機では、その図４（Ｂ）のフローチャートに説明しているように、Ｓ１１１で無線チャネルの種類を判定し、判定に基づき、Ｓ１１３で拡張同期ワード（拡張同期パターン）を設定し、Ｓ１１４で設定パターンに基づき同期を検出しているが、Ｓ１１１の無線チャネルの種類を具体的にどのように検出するのかすら開示しておらず、その検出の迅速化する具体的な方法については知る由もない。
【００１１】
本発明の目的は、受信フレームにおける所定のコード領域からの情報抽出処理を迅速化して、該受信フレームに係る他の処理の不定時間の短縮を図るデジタル無線機、制御方法及びプログラムを提供することである。
【課題を解決するための手段】
【００１２】
本発明によれば、受信フレームにおける所定の検査（冗長）符号付き符号領域に対して所定の複数の符号パターンを用意する。各符号パターンは、例えば、該検査符号付き符号領域に係る情報が所定の少ない個数に限定されている場合に、それら各情報に係る符号を、所定のエラー訂正符号化法を使って符号化した符号系列とされる。
【００１３】
本発明によれば、受信フレームにおける所定の検査符号付き符号領域の符号系列を抽出し、該抽出符号系列と複数の符号パターンとを対比し、該抽出符号系列に最も類似する符号パターン（なお、最も類似する符号パターンには、同一の符号パターンも含む。）に対応付けられた情報が該所定の検査符号付き符号領域に係る情報であると判断する。
【００１４】
本発明のデジタル無線機は次のものを備えている。
受信フレームにおける所定の検査符号付き符号領域についてその符号系列を抽出する符号系列抽出手段、
抽出符号系列を所定の複数の符号パターンと対比する対比手段、
対比結果に基づき複数の符号パターンの内で前記抽出符号系列に最も類似するものを特定する特定手段、及び
最類似の符号パターンにあらかじめ対応付けている情報に基づき前記受信フレームの他の符号領域についてそのデータ処理を行うデータ処理手段。
【００１５】
本発明のデジタル無線機は次のステップを備えている。
受信フレームにおける所定の検査符号付き符号領域についてその符号系列を抽出するステップ、
抽出符号系列を所定の複数の符号パターンと対比するステップ、
対比結果に基づき複数の符号パターンの内で前記抽出符号系列に最も類似するものを特定するステップ、及び
最類似の符号パターンにあらかじめ対応付けている情報に基づき前記受信フレームの他の符号領域についてそのデータ処理を行うステップ。
【００１６】
本発明のプログラムは、前述の本発明のデジタル無線機の各手段としてコンピュータを機能させる。
【発明の効果】
【００１７】
本発明によれば、受信フレームにおける所定の検査符号付き符号領域について、それを復号することなく、所定の複数の符号パターンとの対比から、その情報を把握することができるので、情報把握時間を大幅に短縮することができる。結果、該情報に基づく後続処理の不定時間を短縮して、該受信フレームに係る処理を迅速化することができる。
【発明を実施するための最良の形態】
【００１８】
図１はデジタル無線通信システム１０の概略図である。デジタル無線通信システム１０は、送信側のデジタル無線機１１、受信側のデジタル無線機１２、基地局１３及びレピータ１４を備えている。図１は、図示の便宜上、簡略化して、示したものであり、実際のデジタル無線通信システム１０は、デジタル無線機１１，１２等を十分な個数、装備している。デジタル無線機１１からデジタル無線機１２への音声送信は、直接送信だけでなく、基地局１３又はレピータ１４を経由しても行われるようになっている。
【００１９】
直接通信は、デジタル無線機１１−１２間の通信可能距離が比較的短いのに対して、基地局１３又はレピータ１４を介する通信では、基地局１３又はレピータ１４の設置が必要になるものの、デジタル無線機１１−１２間の通信可能距離を伸ばすことができる。基地局１３を介する通信は、トランキング方式と呼ばれ、上り及び下りの通信チャネルの他に、上り及び下りの制御チャネルが存在する。なお、上りの通信とは基地局１３着のものをいい、下りの通信とは基地局１３発のものをいう。
【００２０】
図２はＰ２５（Associated Public Safety Communication Officers, Inc. Project 25）で定義されている伝送フレームの構造図である。該フレーム構造では、先頭から順番に、ＦＳ（Frame Synchronization）、ＮＩＤ（Network Identifier）、ＣＡＩ（Common Air Interface）フレームデータの領域が配置されている。ＮＩＤ及びＣＡＩフレームデータの領域は情報ビットの他に、所定の検査（冗長）ビットを有している。
【００２１】
ＮＩＤの領域は計６４ビットであり、その内訳は、１６ビットの情報ビット、４７ビットのＢＣＨビット、及び１ビットのパリティビットである。ＮＩＤは、ブロック符号であるＢＣＨ符号（６３，１６，２３）で符号化されたものであり、６３ビット中、１１ビットのエラー訂正能力がある。
【００２２】
６４ビットのＮＩＤを復号すると、１２ビットのＮＡＣ（Network Access Code）と、４ビットのＵｎｉｔＩＤ（Data Unit lD）とが抽出される。ＮＡＣはネットワークの識別コードであり、ＵｎｉｔＩＤはＣＡＩフレームデータの処理に必要になる情報であり、ＣＡＩフレームデータは、ＵｎｉｔＩＤごとに異なる処理を受ける。
【００２３】
一般的なデジタル無線通信システムでは、送信元が特定の相手機からの場合、ネットワーク識別コードは送信が終わるまでは変更されることはない。したがって、一度、ネットワーク識別コードを受信してしまえば、その通信中に該相手機から受信する識別コードは毎回判定する必要はないと考えられる。Ｐ２５においても、通信中、ＮＩＤに含まれるＮＡＣは途中で変更されることはないため、受信側は一度識別してしまえばＮＡＣを固定データとして扱うことができる。
【００２４】
また、Ｐ２５では一つの通信で使用されるフレームの種類が何種類か存在するので、ＮＩＤに含まれるＵｎｉｔＩＤは固定することができない。しかし、受信すべきＵｎｉｔＩＤの数は限られているので（Ｐ２５の場合最大４パターン）、ＮＡＣが通信中に一度でも判定できれば、ＮＩＤはＵｎｉｔＩＤによって決まり、受信フレームのＮＩＤのビットパターンは、該ＮＩＤをエラー無しで抽出した場合には、１つのＮＡＣと４つのＵｎｉｔＩＤとの組合せに係る４つのビットパターンに限定することができる。
【００２５】
ＮＩＤについて受信可能性有りと予測できる予測データを符号化することにより、ビットパターンに相当するエラー無しのビットデータ（予測リファレンスデータ）が得られるので、受信したＮＩＤ（エラー訂正前のビットデータ）と各予測リファレンスデータとを比較する（後述の図３のＳ３０）。そして、エラービット数（＝不一致のビット数）の最も少ない予測リファレンスデータが信頼性の最も高いＮＩＤとして求められる（図３のＳ３１，Ｓ３２）。比較処理は従来の復号化処理に比べ遥かに処理負荷が少ないため、ＮＩＤ判定を前提とする後続処理の不定時間を減らすことができる。
【００２６】
図３はデジタル無線機１２におけるＮＩＤ判定処理方法２０のフローチャートである。ＮＩＤ判定処理方法２０は、デジタル無線機１２が図２のフレームを受信するごとに実行される。受信開始時の最初の受信フレームのＮＩＤについては、Ｓ２２〜Ｓ２６に従い処理する。そして、それ以降、該受信が終了するまでの受信フレーム、すなわち、２回目以降の受信フレームのＮＩＤについては、Ｓ３０〜Ｓ３２に従い処理する。Ｐ２５では、送信側のデジタル無線機１１は、受信側のデジタル無線機１２に対して、送信開始時及び送信終了時にそれぞれＨｅａｄｅｒフレーム及びＴｅｒｍｉｎａｔｏｒフレームを送信することになっているので、デジタル無線機１２は、それらフレームの受信に基づきデジタル無線機１１との受信期間を検出することができるとともに、該受信期間の最初の受信フレームであるか又は２回目以降の受信フレームであるかを識別することができる。
【００２７】
Ｓ２１では、受信フレームにおけるＮＡＣを判定済みか否かを判定する。受信期間最初の受信フレームでは、そのＮＡＣは未判定であって、未知であり、また、該受信期間の２回目以降の受信フレームでは、そのＮＡＣは既判定であって、既知となっている。Ｓ２１の判定が正である場合は、Ｓ２２へ進み、否である場合は、Ｓ３０へ進む。
【００２８】
Ｓ２２は、ＮＩＤデコード（ＢＣＨ符号復号）処理を内容としており、サブステップとしてのＳ２３，Ｓ２４を含む。Ｓ２３では、ＮＩＤの検査ビットに基づきＮＩＤのエラー検出を行う。エラーがなければ、ＮＩＤを直ちに復号する。エラーが検出された場合には、Ｓ２４で、エラー訂正を行ってから、復号する。
【００２９】
Ｓ２５では、Ｓ２２で復号したＮＩＤに基づきＮＩＤの判定処理を行う。該判定処理には、ＮＡＣ判定及びＵｎｉｔＩＤ判定が含まれる。判定とは具体的にはＮＡＣ及びＵｎｉｔＩＤが何であるかを割り出すことである。割り出したＵｎｉｔＩＤは、今回の受信フレームのＣＡＩフレームデータの処理（該処理についてのフローチャートは図示していない。）に使用する。
【００３０】
Ｓ２６では、Ｓ２５で検出したＮＡＣから、今回の受信継続中に、受信が予測されるＮＩＤの予測リファレンスデータ（該リファレンスデータは６４ビットのビット形式のものである。）を生成する。前述したように、Ｐ２５では、受信継続中は、ＮＡＣは同一であり、ＵｎｉｔＩＤは４つしかない。そこで、同一のＮＡＣと４つのＵｎｉｔＩＤとの組合せに係るビット列をＢＣＨ符号法に基づき符号化し、６４ビットの予測リファレンスデータを４つ生成する。
【００３１】
なお、Ｓ２６の処理において、ＢＣＨ符号処理前の情報ビット列のビット数は、ＮＡＣの１２ビット＋ＵｎｉｔＩＤの４ビットの計１６ビットである。これに対し、それをＢＣＨ符号化して生成した予測リファレンスデータは、ＢＣＨの４７ビットの検査ビットにさらに１ビットのパリティビットが加わり、計６４ビットになる。例を１６進表記で説明すると、ＮＡＣ＝２９３、ＵｎｉｔＩＤ＝０の場合、ＮＩＤ＝２９３００Ｆ３Ｂ５ＤＦ８０１Ｃ２となる。また、ＮＡＣ＝２９３、ＵｎｉｔＩＤ＝５の場合、ＮＩＤ＝２９３５５５ＥＦ２Ｃ６５３４３７となる。
【００３２】
Ｓ２６の処理後、ＮＩＤ判定処理方法２０は一旦終了し、デジタル無線機１２が次のフレームを受信しだい、ＮＩＤ判定処理方法２０の実行が再開される。デジタル無線通信システム１０が周波数分割多重方式である場合、デジタル無線機１２は、各受信期間中、デジタル無線機１１からフレームを連続的に受信するが、デジタル無線通信システム１０が時分割多重方式である場合、デジタル無線機１２は、各受信期間中、デジタル無線機１１からフレームを断続的に受信する。
【００３３】
Ｓ３０では、今回受信のフレームにおけるＮＩＤのビット列を予測リファレンスデータのビット列と比較する。Ｓ３１では、Ｓ３０の比較に基づくエラービット判定を行う。具体的には、今回受信したフレームにおけるＮＩＤのビット列について、各予測リファレンスデータのビット列と、各桁ごとの排他的論理和を計算し、計算結果の１の総数を求める。１の総数が小さい予測リファレンスデータほど、ビット値が一致している桁数が多く、受信フレームのＮＩＤのビット列に対する類似度が高いことを意味する。
【００３４】
Ｓ３２では、ＮＩＤ判定処理を行う。具体的には、今回の受信フレームにおけるＮＩＤのビット列にビット列が最類似している予測リファレンスデータに対応付けられているＵｎｉｔＩＤを特定することである。今回の受信フレームのＣＡＩフレームデータについての処理（該処理のフローチャートは図示していない。）では、特定したＵｎｉｔＩＤに基づき該処理が行われる。
【００３５】
図４は本手法及び従来手法におけるＮＩＤのエラービット数と処理サイクル数との関係を対比して示す図である。本手法は例えばＮＩＤ判定処理方法２０のＳ３０〜Ｓ３２に基づいてＵｎｉｔＩＤを判別する仕方である。従来手法とは、受信フレームのＮＩＤをＮＩＤ判定処理方法２０のＳ２２，Ｓ２５により判別している。
【００３６】
従来技術では、各受信期間において全部の受信フレームについて従来手法を用いている。これに対して、ＮＩＤ判定処理方法２０では、各受信期間の最初の受信フレームのＮＩＤについては、Ｓ２２，Ｓ２５により処理し、２回目以降の受信フレームのＮＩＤについては、Ｓ３０〜Ｓ３２により処理している。
【００３７】
従来手法では、受信フレームのＮＩＤにおけるエラービット数の増大と共に処理サイクル数が増える傾向にあったが、本手法ではエラー数が増えても処理時間はほぼ一定となる。このため、本手法では、処理時間のムラが無くなるとともに、システム全体の処理時間のバランスに与える影響を少なくすることができる。なお、本手法では最終的にエラー訂正可能ビット数をしきい値（ＮＩＤ判定処理方法２０では、該しきい値は１１ビットと１２ビットの間に設定）として復号化成功／失敗を判定するため、従来の処理と比較して判定精度は同等であると考えられる。
【００３８】
従来手法では、処理サイクル数は、約３０００（エラービット数０のとき）〜５００００（すべてエラーのとき）となり、エラーの増加と処理時間はおおよそ比例する。本手法では、サイクル数は、エラービット数に関係なく、約２８００（ＮＩＤの待ち受けが４パターンのとき）と一定となる。
【００３９】
本手法を採用するＮＩＤ判定処理方法２０では、２フレーム目以降のＮＩＤデコード処理時間が従来技術に比べ短縮され、ほぼ一定時間になる。実際の動作検証例では、処理時間が最大約１／１７に短縮できた。
【００４０】
図５はデジタル無線機５０のブロック図である。前述のデジタル無線機１２は、デジタル無線機５０の一例である。デジタル無線機５０は、ユーザに携帯される携帯型に限定されず、車載型又は場所固定型であってもよいとする。デジタル無線機５０は、符号系列抽出手段５１、対比手段５２、特定手段５３及びデータ処理手段５４を備えている。好ましくは、デジタル無線機５０は、さらに、符号パターン生成手段５７、作動制御手段５８及びフレーム識別手段５９を備えている。
【００４１】
符号系列抽出手段５１は、受信フレームにおける所定の検査符号付き符号領域についてその符号系列を抽出する。対比手段５２は、抽出符号系列を所定の複数の符号パターンと対比する。特定手段５３は、対比結果に基づき複数の符号パターンの内で抽出符号系列に最も類似するものを特定する。データ処理手段５４は、最類似の符号パターンにあらかじめ対応付けている情報に基づき受信フレームの他の符号領域についてそのデータ処理を行う。
【００４２】
受信フレームの構造の具体例は図２のものである。デジタル無線機５０の受信フレームは、Ｐ２５以外の規格で定義されるものであってもよい。所定の検査符号付き符号領域の具体例は図２におけるＮＩＤである。受信フレームの他の符号領域の具体例は図２におけるＣＡＩフレームデータである。符号パターン、符号系列、検査符号及び符号領域は、具体例としてそれぞれビットパターン、ビット列、ビット及びビット領域であるが、ビット形式の符号に限定されない。
【００４３】
こうして、デジタル無線機５０では、所定の検査符号付き符号領域に係る情報を、該符号領域を復号することなく、所定の複数の符号パターンとの対比結果に基づき検出して、検出に要する処理時間を短縮することができる。特に、所定の検査符号付き符号領域について、受信可能性のある符号パターンの個数が限定されている場合、又はエラー訂正すべき符号数の多い場合に、処理時間の短縮が期待できる。
【００４４】
例えば、所定の検査符号付き符号領域に係る情報は、各受信期間において、変化しない第１の情報部分と、適宜変化する第２の情報部分とを含んでいる。これに対して、符号パターン生成手段５７が、各受信期間の最初の受信フレームにおける所定の検査符号付き符号領域についてその符号系列をエラー訂正、復号して、第１の情報部分を抽出し、該第１の情報部分と受信可能性のある複数の第２の情報部分との組合せに基づき所定の複数の符号パターンを生成する。
【００４５】
第１及び第２の情報部分は、前述のＰ２５では、それぞれＮＡＣ及びＵｎｉｔＩＤに係る情報部分に対応する。ＮＩＤ判定処理方法２０では、各ＮＡＣに対してＵｎｉｔＩＤが最大４つである旨、説明したが、そのような場合には、符号パターン生成手段５７が生成する符号パターンは最大４つで済む。作動制御手段５８は、各受信期間における２回目以降の受信フレームから、対比手段５２、特定手段５３及びデータ処理手段５４の作動を有効にする。
【００４６】
符号パターン生成手段５７の機能は、ＮＩＤ判定処理方法２０（図２）のＳ２２，Ｓ２５，Ｓ２６の処理に対応している。作動制御手段５８の機能は、ＮＩＤ判定処理方法２０のＳ２１において否の判定処理に対応している。
【００４７】
典型的には、フレーム識別手段５９は、抽出符号系列と最類似の符号パターンとの不一致ビット数が所定値以上である場合は、自機宛てでないフレームとして識別して、その識別に対応する処理を行う。
【００４８】
その識別に対応する処理とは、例えば、該フレームを破棄することである。破棄した場合には、典型的には、該フレームについての一切の処理を、それ以降、停止するか、無効にする。例えば、データ処理手段５４は、該破棄されたフレームについては、作動を停止されるか、無効にされる。
【００４９】
図６はデジタル無線機制御方法７０のフローチャートである。デジタル無線機制御方法７０は、デジタル無線機５０に適用され、Ｓ７１，Ｓ７２，Ｓ７３，Ｓ７４を備える。
【００５０】
Ｓ７１では、受信フレームにおける所定の検査符号付き符号領域についてその符号系列を抽出する。Ｓ７２では、抽出符号系列を所定の複数の符号パターンと対比する。Ｓ７３では、対比結果に基づき複数の符号パターンの内で抽出符号系列に最も類似するものを特定する。Ｓ７４では、最類似の符号パターンにあらかじめ対応付けている情報に基づき受信フレームの他の符号領域についてそのデータ処理を行う。
【００５１】
Ｓ７１〜Ｓ７４の処理は、デジタル無線機５０の符号系列抽出手段５１〜データ処理手段５４の機能にそれぞれ対応している。したがって、符号系列抽出手段５１〜データ処理手段５４の機能について述べた具体的態様はＳ７１〜Ｓ７４の処理についての具体的態様としても適用可能である。
【００５２】
デジタル無線機制御方法７０では、また、デジタル無線機５０の符号パターン生成手段５７〜フレーム識別手段５９の機能に対応する処理を実行するステップを適宜、追加することができる。符号パターン生成手段５７及び作動制御手段５８の機能に対応するステップをそれぞれ「ステップ１５７」及び「ステップ１５８」と呼ぶことにする。Ｓ７１の後に、第１の判定ステップを付加する。該第１の判定ステップでは、受信フレームが最初のものか否かを判定し、その判定が正であれば、ステップ１５７へ進み、判定が否であれば、Ｓ７２へ進むようにする。ステップ１５８は、該第１の判定ステップの判定否に対応するものとなる。
【００５３】
フレーム識別手段５９に対応するステップを「ステップ１５９」と呼ぶことにする。Ｓ７１と前述の第１の判定ステップとの間に第２の判定ステップを付加する。第２の判定ステップでは、抽出符号系列と最類似の符号パターンとの不一致ビット数が所定値以上であるか否かを判定し、判定が正であれば、ステップ１５９へ進み、否であれば、第１の判定ステップへ進むようにする。
【００５４】
本発明を適用したプログラムは、コンピュータをデジタル無線機５０の各手段として機能させる。本発明を適用した別のプログラムは、デジタル無線機制御方法７０の各ステップをコンピュータに実行させる。
【００５５】
本明細書は様々な発明を開示している。それら発明には、本明細書における発明の最良の形態等において、独立の作用、効果を奏する１つ又は複数の要素を抽出したものや、１つ又は複数の要素を自明の範囲で変更したものや、１つ又は複数の要素の組合せを自明の範囲で発明の形態間で入れ換えたものを含む。
【図面の簡単な説明】
【００５６】
【図１】デジタル無線通信システムの概略図である。
【図２】Ｐで定義されている伝送フレームの構造図である。
【図３】デジタル無線機におけるＮＩＤ判定処理方法のフローチャートである。
【図４】本手法及び従来手法におけるＮＩＤのエラービット数と処理サイクル数との関係を対比して示す図である。
【図５】デジタル無線機のブロック図である。
【図６】デジタル無線機制御方法のフローチャートである。
【符号の説明】
【００５７】
５０：デジタル無線機、５１：符号系列抽出手段、５２：対比手段、５３：特定手段、５４：データ処理手段、５７：符号パターン生成手段、５８：作動制御手段、５９：フレーム識別手段、７０：デジタル無線機制御方法。
【図１】
2008311785.tif 000003
【図２】
2008311785.tif 000004
【図３】
2008311785.tif 000005
【図４】
2008311785.tif 000006
【図５】
2008311785.tif 000007
【図６】
2008311785.tif 000008